(57)【要約】【課題】外輪が係止環を介してナックル内面に嵌合される車輪支持用転がり軸受ユニットにおいて、組付作業に支障を来すことなく、軸受内への泥水の浸入を有効に防止する。【解決手段】外輪１の外径３が係止環１１を介してナックルに嵌合され、ハブ輪１７は径方向に突出するハブフランジを有するとともに、リップ摺接面３３とハブフランジとの間で軸方向に設けられた軸方向円筒面３５を有し、シール４７の外径側嵌合部５１の内径５３は、ハブ輪１７の軸方向円筒面３５の外径３７よりも小径とするとともに、ハブフランジ２１に対向する外径側嵌合部５１の軸方向端面５５は、リップ摺接面３３よりも軸受内方に位置することにより、外径側嵌合部５１の軸方向端面５５とリップ摺接面３３との間に径方向のラビリンス６５を形成し、ラビリンス６５は、係止環１１と径方向で重なり合う位置に配設されている。【選択図】図１
2016003749.tif 000002
【特許請求の範囲】
【請求項１】
外輪の外径側が係止環を介して懸架装置のナックルに嵌合され、前記外輪の内径側に複数個の転動体を介してハブ輪を回転自在に支持するとともに、前記外輪と前記ハブ輪との間に密封装置を組み込んで軸受内部を密閉している車輪支持用転がり軸受ユニットであって、
前記密封装置は、前記外輪の内径に嵌合可能な環状の外径側嵌合部と、
前記外径側嵌合部から径方向に連続して設けられる円板部と、
前記円板部から一体に突出して設けられ、前記ハブ輪のリップ摺接面に弾性により摺接するシールリップとで構成されており、
前記ハブ輪は径方向に突出するハブフランジを有するとともに、前記リップ摺接面と前記ハブフランジとの間で軸方向に設けられた軸方向円筒面を有し、
前記外径側嵌合部の内径は、前記ハブ輪の軸方向円筒面の外径よりも小径とするとともに、
前記ハブフランジに対向する前記外径側嵌合部の軸方向端面は、前記リップ摺接面よりも軸受内方に位置することにより、
前記外径側嵌合部の軸方向端面と前記リップ摺接面との間に径方向のラビリンスを形成し、
前記ラビリンスは、前記係止環と径方向で重なり合う位置に配設されていることを特徴とする車輪支持用転がり軸受ユニット。
【請求項２】
前記シールリップは、前記ハブ輪のシール摺接面に軸方向で摺接する軸方向シールリップであって、
前記軸方向シールリップは、径方向で所定間隔をあけて前記円板部から突出して複数個形成されており、
径方向で最も外側の軸方向シールリップは、その先端に２つの傾斜面を有し、
その外側の傾斜面は、前記ハブ輪のリップ摺接面に弾性に抗して接した時に、軸受内方側が小径の傾斜面になることを特徴とする請求項１に記載の車輪支持用転がり軸受ユニット。
【請求項３】
前記密封装置は、芯金を有しており、
前記芯金は、円環状に形成されて前記外径側嵌合部に一体に備えられる芯金外径部を有し、
前記外径側嵌合部の軸方向端面には、前記係止環より軸方向外側に突出せず、かつ前記芯金外径部の内径よりも小径の庇リップが設けられており、
前記庇リップは、前記ハブ輪との間に第二ラビリンスを形成していることを特徴とする請求項１又は２に記載の車輪支持用転がり軸受ユニット。
【請求項４】
前記外径側嵌合部には、軸方向端面から軸受内方に向けて泥水貯留空間が設けられていることを特徴とする請求項１乃至３のいずれかに記載の車輪支持用転がり軸受ユニット。
【発明の詳細な説明】
【技術分野】
【０００１】
本発明は、自動車の車輪を懸架装置に対して回転自在に支持する車輪支持用転がり軸受ユニットに関する。
【背景技術】
【０００２】
図８は、自動車の懸架装置（サスペンション）に対して車輪を回転自在に支持するために用いられる車輪支持用転がり軸受ユニットの一例を示し、外輪１００の内径側に、複数個の転動体２００を介してハブ輪３００を回転自在に支持するとともに、外輪１００とハブ輪３００との間に密封装置（シール装置）４００を組み込んで軸受内部５００を密閉している（特許文献１。）。
このような部位は、泥水や砂・埃などが舞う環境であることから、このような部位に組み込まれる密封装置（シール装置）４００は特に密封性が要求されている。
【０００３】
密封装置（シール装置）４００は、環状の外径側嵌合部４０１を外輪１００の内径に嵌合させ、軸方向（図中矢印Ｗで示す方向  以下同じ。）に突出する環状の第一のシールリップ４０２と、該第一のシールリップ４０２と径方向（図中矢印Ｈで示す方向  以下同じ。）で所定間隔をあけて配設した同じく軸方向に突出した環状の第二のシールリップ４０３を、ハブ輪３００のリップ摺接面３０１に弾性によりそれぞれ摺接させている。そして、内径側にて径方向に突出する第三のシールリップ４０４をハブ輪３００のリップ摺接面３０１に弾性により摺接させている。また、外輪端面とハブ輪の反パイロット面との間を狭めたりもしている。
そして、さらに、シールリップ（第一のシールリップ４０２等）が摺接するハブ輪３００のリップ摺接面３０１の外方にて、外輪１００及び外輪１００の内径に嵌合させて配する密封装置４００の外径側嵌合部４０１が、所定間隔をあけて径方向Ｈで重なり合うようにして配設されていると共に、前記外径側嵌合部４０１の内径面とハブ輪３００の段差面（ハブフランジ３０２から連続して軸方向Ｗに設けられている軸方向円筒面）３０３を径方向Ｈで近接させることにより軸方向のラビリンス隙間６００を形成している。
【０００４】
この様な構造を採用することにより、例えば、タイヤによって跳ね上げられた泥水が、ハブ輪３００のハブフランジ３０２に沿って径方向からハブ輪３００の段差面（軸方向円筒面）３０３に流れ込み、そしてリップ摺接面３０１へと到達する事を防止し得るため、シール性の向上に寄与することができるものである。
【０００５】
ところで、車輪支持用転がり軸受ユニットには、図８に示すような形式の他に、例えば図９に示すような形式のものが知られており、この種の形式の車輪支持用転がり軸受ユニットは、外輪外径部１０１が円筒形状で、係止環７００をナックル８００に設けられた溝８０１に係合させて、ナックル内側の肩部８０２との間に挟みこむことで外輪１００を固定している。
【０００６】
この様な形式の車輪支持用転がり軸受ユニットは、軸受内輪９００と図示しないハブ輪を先に組み付け(あるいはハブ輪３００と軸受内輪９００が一体)、その後、図示しない所定の圧入冶具（例えば半月冶具）を、外輪端面(あるいは係止環７００またはナックル８００の端面)とハブ輪の反パイロット面との間に挿入してナックル８００に外輪１００を嵌合する必要がある。
【０００７】
しかし、図９の形式の車輪支持用転がり軸受において、図８の形式のように、例えば、外輪端面１０２(あるいは係止環７００またはナックル８００の端面)とハブ輪３００の反パイロット面との間を狭めたり、ハブ輪のリップ摺接面と外輪１００の内径面（シール嵌合面）やシールの外径側嵌合部を径方向に重ね合わせたりして、径方向から来る泥水の浸入を防止しようとした場合、圧入治具が干渉してしまい、組み付け作業に支障をきたす虞があったため、上述の図８の先行例のようにして泥水の浸入を防止することが困難であった。
【先行技術文献】
【特許文献】
【０００８】
【特許文献１】特開２００６‐２００６２８号公報
【特許文献２】ドイツ国特許第１９７１３３３３号公報
【発明の概要】
【発明が解決しようとする課題】
【０００９】
本発明は、従来技術の有するこのような問題点に鑑みなされたものであり、その課題とするところは、外輪が係止環を介してナックル内面に嵌合される車輪支持用転がり軸受ユニットにおいて、組付作業に支障を来すことなく、軸受内への泥水の浸入を有効に防止することである。
【課題を解決するための手段】
【００１０】
この目的を達成するために、本発明の第１の発明は、外輪の外径側が係止環を介して懸架装置のナックルに嵌合され、前記外輪の内径側に複数個の転動体を介してハブ輪を回転自在に支持するとともに、前記外輪と前記ハブ輪との間に密封装置を組み込んで軸受内部を密閉している車輪支持用転がり軸受ユニットであって、
前記密封装置は、前記外輪の内径に嵌合可能な環状の外径側嵌合部と、
前記外径側嵌合部から径方向に連続して設けられる円板部と、
前記円板部から一体に突出して設けられ、前記ハブ輪のリップ摺接面に弾性により摺接するシールリップとで構成されており、
前記ハブ輪は径方向に突出するハブフランジを有するとともに、前記リップ摺接面と前記ハブフランジとの間で軸方向に設けられた軸方向円筒面を有し、
前記外径側嵌合部の内径は、前記ハブ輪の軸方向円筒面の外径よりも小径とするとともに、
前記ハブフランジに対向する前記外径側嵌合部の軸方向端面は、前記リップ摺接面よりも軸受内方に位置することにより、
前記外径側嵌合部の軸方向端面と前記リップ摺接面との間に径方向のラビリンスを形成し、
前記ラビリンスは、前記係止環と径方向で重なり合う位置に配設されていることを特徴とする車輪支持用転がり軸受ユニットとしたことである。
【００１１】
本発明によれば、前記外径側嵌合部の内径は、前記ハブ輪の軸方向円筒面の外径よりも小径とするとともに、前記ハブフランジに対向する前記外径側嵌合部の軸方向端面（この端面は、シール嵌合時に押圧する面であることからシール押圧面ともいう。）は、前記リップ摺接面よりも軸受内方に位置する構成としたため、例えば、軸受内輪と前記ハブ輪を先に組み付け、その後、所定の圧入冶具（例えば半月冶具）を外輪端面と前記ハブ輪の反パイロット面との間に挿入してナックルに前記外輪を嵌合する際に、前記圧入治具が干渉して組み付け作業に支障をきたすという虞もない。
また、前記外径側嵌合部の軸方向端面と前記リップ摺接面との間に径方向のラビリンスを形成し、前記ラビリンスは、前記係止環と径方向で重なり合う位置に配設されているものとしたため、例えば、タイヤによって跳ね上げられた泥水（跳ね掛け泥水ともいう。）が、前記ハブ輪のフランジ部に沿って径方向から前記ハブ輪の段差面に流れ込み、そして前記リップ摺接面へと到達する事を防止し得るため、シール性の向上に寄与することができる。
【００１２】
第２の発明は、第１の発明において、前記シールリップは、前記ハブ輪のシール摺接面に軸方向で摺接する軸方向シールリップであって、
前記軸方向シールリップは、径方向で所定間隔をあけて前記円板部から突出して複数個形成されており、
径方向で最も外側の軸方向シールリップは、その先端に２つの傾斜面を有し、
その外側の傾斜面は、前記ハブ輪のリップ摺接面に弾性に抗して接した時に、軸受内方側が小径の傾斜面になることを特徴とする車輪支持用転がり軸受ユニットとしたことである。
【００１３】
本発明によれば、ハブ輪のリップ摺接面に弾性に抗して接している径方向で最も外側の軸方向シールリップは、外側の傾斜面における軸受内方側が小径の傾斜面となるようにハブ輪のリップ摺接面に接しているため、ハブ輪の段差面とシール摺接面との間のコーナ面から軸方向に向けて傾斜状に連続して配されることとなる。
従って、タイヤによって跳ね上げられた泥水が、ハブ輪のフランジに沿って径方向から流れ込み、ハブフランジとハブ輪の段差面との間のコーナ面で軸方向に向きを変えて勢い良く流れ込んできたとしても、その泥水は、前記傾斜面に沿って流れるため、軸方向シールリップの先端を捲りあげてしまうという不具合もない。
そして、その泥水は、径方向で最も外側の軸方向シールリップの根元に誘導され、該軸方向シールリップの緊迫力を高めつつ下方へと導いて排出できるので、シールの耐泥水性能を向上させることができる。
【００１４】
第３の発明は、第１の発明又は第２の発明において、前記密封装置は、芯金を有しており、
前記芯金は、円環状に形成されて前記外径側嵌合部に一体に備えられる芯金外径部を有し、
前記外径側嵌合部の軸方向端面には、前記係止環より軸方向外側に突出せず、かつ前記芯金外径部の内径よりも小径の庇リップが設けられており、
前記庇リップは、前記ハブ輪との間に第二ラビリンスを形成していることを特徴とする車輪支持用転がり軸受ユニットとしたことである。
【００１５】
本発明によれば、さらにラビリンスの追加によって泥水の侵入防止を向上させ、かつ庇リップは係止環よりも軸方向外側に突出していないので、シール嵌合（圧入）作業では、庇リップを避けて圧入冶具を外径側嵌合部の軸方向端面（シール押圧面）に当てて行なうことができる。あるいは、圧入冶具内径と庇リップを軽く係合させ、庇リップを芯出しガイド（案内）として利用することができる。
【００１６】
第４の発明は、第１の発明乃至第３の発明のいずれかにおいて、前記外径側嵌合部には、軸方向端面から軸受内方に向けて泥水貯留空間が設けられていることを特徴とする車輪支持用転がり軸受ユニットとしたことである。
【００１７】
本発明によれば、タイヤによって跳ね上げられた泥水が、ハブ輪のフランジ部に沿って径方向からハブ輪の段差面に流れ込んできても、泥水は、径方向のラビリンスの外径側を通過させることができるため、シールの耐久性向上が図れる。
【発明の効果】
【００１８】
本発明は、外輪が係止環を介してナックル内面に嵌合される車輪支持用転がり軸受ユニットにおいて、組付作業に支障を来すことなく、泥水の軸受内への浸入を有効に防止することができた。
【図面の簡単な説明】
【００１９】
【図１】本発明車輪支持用転がり軸受ユニットの第一実施形態を示す概略縦断面図である。
【図２】図１に示す第一実施形態の要部を拡大して示す概略断面図である。
【図３】第二実施形態の要部を拡大して示す概略断面図である。
【図４】第三実施形態の要部を拡大して示す概略断面図である。
【図５】第四実施形態の要部を拡大して示す概略断面図である。
【図６】第五実施形態の要部を拡大して示す概略断面図である。
【図７】第六実施形態の要部を拡大して示す概略断面図である。
【図８】先行技術文献１の一部拡大断面図である。
【図９】先行技術文献２の一部拡大断面図である。
【発明を実施するための形態】
【００２０】
以下、本発明の一実施形態について、添付図面を参照して説明する。図１乃至図２は第一実施形態、図３は第二実施形態、図４は第三実施形態、図５は第四実施形態、図６は第五実施形態、図７は第六実施形態をそれぞれ示す。
なお、本実施形態は、本発明の一実施形態であって、何等これらに限定解釈されるものではなく本発明の範囲内で設計変更可能である。
【００２１】
「第一実施形態」
本実施形態では、図１〜図２に示すように、外輪１の外径３側が係止環１１を介して図示しない懸架装置のナックルに嵌合され、外輪１の内径９側に複数個の転動体４５を介してハブ輪１７を回転自在に支持するとともに、外輪１とハブ輪１７との間に密封装置４７を組み込んで軸受内部を密閉している車輪支持用転がり軸受ユニットが該当する。
本実施形態では、ハブ輪１７のハブフランジ２１側（車両の外側）の密封装置４７とともに、加締め側（車両の内側）にも密封装置４９を組み込んでいるが、本実施形態では、ハブフランジ２１側に組み込まれる密封装置４７について説明し、加締め側に組み込まれる密封装置４９にあっては説明を省略する。なお、加締め側に組み込まれる密封装置４９は周知形態の密封装置が本発明の範囲内で適宜設計変更可能である。
【００２２】
本実施形態では外径３が円筒面を有する円筒状に形成された外輪１が想定され、その内径９には複列の軌道５を有している。
係止環１１は、円環状に形成し、外輪１の外径３に嵌合される嵌合部１３と、嵌合部１３の一端に設け、外輪１の軸方向端部７に係合させる内方折り曲げ係合片１５と、嵌合部１３の所定位置に形成され、図示しないナックルの内周面に設けた係合溝に係合させる外方折り曲げ係合片１６を備えたもので、従来周知の形態である。
【００２３】
ハブ輪１７は、外周面の外側（自動車への組み付け状態で車両の幅方向外側で、図１の左側）にパイロット面１９を設けるとともに、前記パイロット面１９よりも内側（軸受内方）に、径方向Ｈに突出するハブフランジ２１を設けている。
【００２４】
また、パイロット面１９と前記ハブフランジ２１を挟んで反対側の反パイロット面側で、ハブ輪１７の外周面の中間部位に周方向に連続した第一の内輪軌道２３を形成し、そして、その第一の内輪軌道２３位置から連続し、かつ第一の内輪軌道２３よりも一段下がった位置（第一の内輪軌道２３の外径よりも小径とした外周位置）に、内輪嵌合面２７を周方向に連続して形成し、この内輪嵌合面２７に、周方向に連続した第二の内輪軌道３１を有する別体の内輪構成部材２９を嵌合するとともに、端部を加締め固定している。
そして、前記第一の内輪軌道２３の溝肩２５から軸方向Ｗで軸受外方に連続して形成した第一リップ摺接面３３ａと、該第一リップ摺接面３３ａから径方向Ｈに連続して形成された第二リップ摺接面３３ｂとで構成された段差状のリップ摺接面３３を設けている。
そして、前記リップ摺接面３３の上縁（コーナー部）４１からハブフランジ２１方向に向けて軸方向Ｗに連続して形成される軸方向円筒面３５を設けている。
【００２５】
本実施形態において、リップ摺接面３３を構成する第二リップ摺接面３３ｂは、軸受組み込み状態において、外輪１におけるハブフランジ２１と対向する軸方向端部７と径方向Ｈで同一面上に重なり合うか、または軸方向端部７が軸受内側方向になるように位置している。すなわち、外輪１の軸方向端部７がハブフランジ２１の軸方向円筒面３５上に突出していない形態としている。
【００２６】
密封装置（シール装置）は、外輪１の内径９に嵌合可能な環状の外径側嵌合部５１と、前記外径側嵌合部５１から径方向Ｈに連続して設けられる円板部５７と、前記円板部５７から一体に突出して設けられ、前記ハブ輪１７のリップ摺接面３３（第二リップ摺接面３３ｂ）に弾性により摺接する環状の第一のシールリップ５９と、該第一のシールリップ５９から径方向Ｈで内方に所定間隔をあけて前記円板部５７から軸方向Ｗに一体に突出して設けられ、前記ハブ輪１７のリップ摺接面３３（第二リップ摺接面３３ｂ）に弾性により摺接する環状の第二のシールリップ６１と、円板部５７の内径側にて径方向Ｈに一体に突出し、ハブ輪１７のリップ摺接面３３（第一リップ摺接面３３ａ）に弾性により摺接する環状の第三のシールリップ６３で構成されている。
【００２７】
本実施形態では、所定形状を有する芯金６７と、該芯金６７を覆うゴムや合成樹脂材などの被覆部６９で一体に形成されており、芯金６７は、円環状に形成された芯金外径部６７ａと、該芯金外径部６７ａの一端から、芯金外径部６７ａの円環中心に向けて径方向に連続して形成された円板状の芯金円板部６７ｂとで形成されており、芯金円板部６７ｂの中心には芯金内径６７ｃが形成されている。
また、本実施形態において、芯金円板部６７ｂは、芯金外径部６７ａから径方向に連続して設けられた第一の垂直面部６７ｄと、該第一の垂直面部６７ｄから芯金外径部６７ａの突出方向に傾斜状に連続して設けられた円錐面部６７eと、該円錐面部６７eから径方向に連続して設けられた第二の垂直面部６７fとで構成されている。
【００２８】
外径側嵌合部５１は、径方向Ｈの厚みを幅広に形成してその内径５３が、ハブ輪１７の軸方向円筒面３５の外径３７よりも小径となるように形成され、かつ前記ハブフランジ２１に対向する前記外径側嵌合部５１の軸方向端面（シール押圧面）５５が、前記ハブ輪１７の第二リップ摺接面３３ｂよりも軸受内方に位置するように形成する。すなわち、本実施形態によれば、外輪１の内径９とハブ輪１７のリップ摺接面の上縁（軸方向円筒面３５とリップ摺接面３３の境界のコーナ部）４１との間に形成される空間領域の径方向Ｈの幅は、外径側嵌合部５１の軸方向端面５５の径方向Ｈの幅よりも狭く形成されている。
【００２９】
このように構成することにより、前記外径側嵌合部５１の軸方向端面５５とリップ摺接面３３との間には、径方向ラビリンス６５が形成される。
また、前記ラビリンス６５は、前記係止環１１と径方向Ｈで重なり合う位置に配設されているため、係止環１１の方向まで延びた径方向のラビリンス６５としても機能している。
【００３０】
第一のシールリップ５９と第二のシールリップ６１は、円板部５７に連続する基端５９ｂ，６１ｂから、先端のリップ部５９ａ，６１ａに向けて径方向Ｈに傾斜状に形成するとともに、それぞれリップ部５９ａ，６１ａを軸受外方に向けてハブ輪１７のリップ摺接面３３（第二リップ摺接面３３ｂ）に弾性変形させて摺接させることにより、外部からの泥水や砂・埃などの異物が侵入しないようにするダストシールとして機能させている。
【００３１】
第一のシールリップ５９と第二のシールリップ６１は、それぞれ外径側嵌合部５１の軸方向端面５５よりも突出する長さに形成され、それぞれのリップ部５９ａ，６１ａは、平坦状で環状に連続する面部（外側の面部）７５と、傾斜状で環状に連続する面部（内側の面部）７７で形成されている。
そして、第一のシールリップ５９は、ハブ輪１７のリップ摺接面３３（第二リップ摺接面３３ｂ）に弾性変形して摺接した際に、そのリップ部５９ａの面部（外側の面部）７５が、ハブ輪１７の軸方向円筒面３５よりも径方向Ｈで小径で、前記軸方向円筒面３５から落ち込んだ位置に配されている。
【００３２】
第三のシールリップ６３は、円板部５７の内径に連続する基端（第二のシールリップ６１の基端６１ｂが連続している位置と同じ）６３ｂから、先端のリップ部６３ａに向けて軸受内部方向に狭まるように形成するとともに、リップ部６３ａを軸受内方に向けてハブ輪１７のリップ摺接面３３（第一リップ摺接面３３ａ）に弾性変形させて摺接させることにより、軸受内部の潤滑油・グリースなどが外部へ漏洩しないようにするオイルシールとして機能させている。
【００３３】
本実施形態によれば、ハブ輪１７のハブフランジ２１に沿って径方向から流れ込み、反パイロット面側のコーナ面４３で軸方向Ｗに向きを変えて軸方向円筒面３５に流れ込んできた跳ね掛け泥水は、径方向Ｈに幅広状に形成した軸方向端面（シール押圧面）５５に衝突してその勢いが弱まる。そして、上記径方向Ｈのラビリンス６５を形成していることにより、泥水が径方向Ｈからリップ摺接面３３へと直接到達することを防止している。このような構成及び作用効果を有することから、シールの耐泥水性能を良好に保つことが出来る。
【００３４】
次に、本発明の他の実施形態である第二実施形態−第六実施形態について説明する。なお、各実施形態では、第一実施形態と密封装置（シール装置）において異なるため、それぞれ密封装置について説明に重点を置き、その他の箇所においては第一実施形態と同一であるため、第一実施形態の説明を援用し、ここでの説明を省略する。
【００３５】
「第二実施形態」
図３は本発明の第二実施形態を示す。
本実施形態の密封装置は、第一実施形態と同様、第一のシールリップ５９、第二のシールリップ６１、第三のシールリップ６３を有するが、そのうち最も外側の第一のシールリップ５９における面部（外側の面部）７５が第一実施形態で平坦状の面部であるのに対し、本実施形態では傾斜状の面部とし、外側の面部（傾斜状の面部）７５は、軸方向Ｗで軸受外方側（図３にて左側）が大径で内方側が小径の傾斜面としている。
そして、前記外側の面部（傾斜状の面部）７５の大径側のリップ部５９ａ（縁部７９）を、ハブ輪１７の軸方向円筒面３５と、リップ摺接面３３との境界のコーナ部４１付近に弾性により摺接している。
【００３６】
本実施形態において、第一のシールリップ５９をこのように構成したことにより、タイヤによって跳ね上げられた泥水が、ハブ輪１７のハブフランジ２１に沿って径方向Ｈから流れ込み、ハブフランジ２１とハブ輪１７の軸方向円筒面３５（段差面）との間のコーナ面４３で軸方向Ｗに向きを変えて勢い良く流れ込んできたとしても、その泥水は、前記第一のシールリップ５９の外側の面部（傾斜状の面部）７５の傾斜面に沿って淀みなく流れることができるため、第一のシールリップ５９のリップ部５９ａ（縁部７９）を捲りあげてしまうという不具合もない。
さらに、泥水は第一のシールリップ５９の根元（基端５９ａ）に誘導され、第一のシールリップ５９の緊迫力を高めつつ、下方へ導かれて排出されるので、シールの耐泥水性能を向上させる事が可能である。
【００３７】
「第三実施形態」
図４は本発明の第三実施形態を示す。
本実施形態の密封装置は、外径側嵌合部５１の軸方向端面（シール押圧面）５５に、芯金６７の芯金外径部６７ａの内径より小径で、かつ係止環１１よりも軸方向Ｗで外側（軸受外方）に突出しない環状の庇リップ８１が設けられている。
【００３８】
庇リップ８１は、主として径方向Ｈからの跳ね掛け泥水の浸入を防止する為、及び第一のシールリップ５９の根元（基端５９ａ）に浸入してきた泥水の排水を促す為、リップ断面をシールの先端部８３が大径の傾斜形状としている。
【００３９】
本実施形態によれば、ハブ輪１７の軸方向円筒面３５との間に軸方向Ｗの第二ラビリンス８５が形成され、さらなるラビリンス隙間の追加によって泥水の侵入防止をより向上させることが出来る。
【００４０】
また、庇リップ８１は係止環１１よりも軸方向Ｗで外側に突出していないので、シール嵌合（圧入）作業では、庇リップ８１を避けて圧入冶具（図示省略）を外径側嵌合部５１の軸方向端面（シール押圧面）５５に当てて行なうことができる。あるいは、図示しない圧入冶具内径と庇リップ８１を軽く係合させ、庇リップ８１を芯出しガイド（案内）として利用することができる。
【００４１】
なお、本実施形態では、径方向Ｈからの跳ね掛け泥水の浸入を防止する為、リップ断面をシールの先端部８３が大径の傾斜形状としたが、軸方向Ｗからの泥水の浸入を防止する為に、リップ断面をシールの先端部８３が小径の傾斜形状とすることも可能で本発明の範囲内である。
【００４２】
「第四実施形態」
図５は本発明の第四実施形態を示す。
本実施形態の密封装置は、外径側嵌合部５１の軸方向端面（シール押圧面）５５を、径方向Ｈで傾斜状に形成している。
軸方向端面５５の傾斜形態は、外径側嵌合部５１の内径端８７を外径端８９よりも軸方向Ｗで外側に向けて突出させ、前記内径端８７から外径端８９に向けて傾斜状に形成している。
本実施形態によれば、泥水を径方向ラビリンス６５の外径側を通過させることができ、泥水をシールリップ（第一のシールリップ５９等）方向へと行かないようにして（シールリップとは反対の方向に導いて）密封装置の耐久性向上を図ることができる。
【００４３】
「第五実施形態」
図６は本発明の第五実施形態を示す。
本実施形態の密封装置は、外径側嵌合部５１の軸方向端面（シール押圧面）５５の外径寄り側の一部を軸受内方に向けて切り欠いて（後退させて）凹状面部９７を形成している。
【００４４】
本実施形態によれば、前記凹状面部９７によって泥水を径方向ラビリンス６５の外径側を通過させることができ、泥水をシールリップ（第一のシールリップ５９等）方向へと行かないようにして密封装置の耐久性向上を図ることができる。
また、凹状面部９７よりも内径寄りに突出して存する環状突部９９は、リップ摺接面３３に向けて庇状に突出し、リップ摺接面３３との間にラビリンス７３を形成しているため、さらに泥水をシールリップ（第一のシールリップ５９等）方向へと行かないようにして密封装置の耐久性向上を図ることができる。
本実施形態では、凹状面部９７が周方向に連続して形成されているが、断続的に形成されているものであっても本発明の範囲内であって適宜設計変更可能である。
また、本実施形態は凹状面部９７を外輪１の内径９に対して垂直に交差するように形成されているが、この面部９７の傾斜状態を適宜変更することも可能で本発明の範囲内で適宜傾斜角度を設計変更可能である。
【００４５】
「第六実施形態」
図７は本発明の第六実施形態を示す。
本実施形態の密封装置は、外径側嵌合部５１の軸方向端面（シール押圧面）５５に、該軸方向端面５５の面部から軸方向内方に向けて貫通しないポケット空間７１を設けている。
ポケット空間７１は、例えば、円筒形状で、外径側嵌合部５１の軸方向端面５５の周方向に間隔をあけて断続して設けられている。
【００４６】
本実施形態によれば、径方向ラビリンス６５の内側に空間を創出し、泥水を径方向ラビリンス６５の外径側を通過させることができ、泥水をシールリップ（第一のシールリップ５９等）方向へと行かないようにして密封装置の耐久性向上を図ることができる。
なお、ポケット空間７１は、周方向に連続して設けられているものであっても本発明の範囲内である。ポケットの貫通形状も任意である。
【００４７】
なお、第一実施形態乃至第六実施形態の各構成要素は相互に組み合わせることも可能で本発明の範囲内で適宜設計変更可能である。
【産業上の利用可能性】
【００４８】
本実施形態では、転がり玉軸受について一例を挙げて説明したが、本発明はころ軸受であっても可能で、本発明の範囲内で適宜他の周知軸受形態に利用可能である。
【符号の説明】
【００４９】
１  外輪
３  外径
９  内径
１１  係止環
１７  ハブ輪
２１  ハブフランジ
３５  軸方向円筒面
４５  転動体
４７  密封装置
５１  外径側嵌合部
５５  軸方向端面
５７  円板部
３３  リップ摺接面
５９  第一のシールリップ
６１  第二のシールリップ
６３  第三のシールリップ
６５  径方向ラビリンス
【図１】
2016003749.tif 000003
【図２】
2016003749.tif 000004
【図３】
2016003749.tif 000005
【図４】
2016003749.tif 000006
【図５】
2016003749.tif 000007
【図６】
2016003749.tif 000008
【図７】
2016003749.tif 000009
【図８】
2016003749.tif 000010
【図９】
2016003749.tif 000011